(57)【要約】【課題】携帯電子機器に対する文字情報の入力を簡単に行えるようにすること。【解決手段】携帯電子機器２は、固有のユーザー識別情報を記憶する、携帯電話機に着脱可能な記録媒体２５から情報を読出す情報読出し部２４、１４と、情報読出し部２４、１４で読出された情報に基づいて付加情報の候補を提示する提示部５と、付加情報の候補の中から指示された候補を付加情報とする付加情報決定部１４と、付加情報決定部１４で決定された付加情報を他の情報と関連づける情報処理部１４と、を備える。【選択図】図２
2013172417.tif 000002
【特許請求の範囲】
【請求項１】
固有のユーザー識別情報を記憶する、携帯電話機に着脱可能な記録媒体から情報を読出す情報読出し部と、
前記情報読出し部で読出された情報に基づいて付加情報の候補を提示する提示部と、
前記付加情報の候補の中から指示された候補を付加情報とする付加情報決定部と、
前記付加情報決定部で決定された付加情報を他の情報と関連づける情報処理部と、
を備えることを特徴とする携帯電子機器。
【請求項２】
請求項１に記載の携帯電子機器において、
前記情報読出し部が前記記録媒体から読出した情報を記憶する記憶部材をさらに備え、
前記提示部は、前記記憶部材に記憶されている情報に基づいて付加情報の候補を提示することを特徴とする携帯電子機器。
【請求項３】
請求項１または２に記載の携帯電子機器において、
前記提示部は、前記情報読出し部で読出された情報の一部、または前記記憶部材に記憶されている情報の一部を前記付加情報の候補として提示することを特徴とする携帯電子機器。
【請求項４】
請求項１〜３のいずれか一項に記載の携帯電子機器において、
前記提示部で提示された付加情報の候補に対する変更操作を受付ける変更操作受付部をさらに備え、
前記付加情報決定部は、前記変更操作受付部で受けた変更操作後の付加情報の候補、および前記提示部が提示する付加情報の候補の中から指示された候補を付加情報とすることを特徴とする携帯電子機器。
【請求項５】
請求項１〜４のいずれか一項に記載の携帯電子機器において、
前記情報処理部は、前記付加情報を画像ファイルに付加することを特徴とする携帯電子機器。
【請求項６】
被写体像を撮像して画像データを生成する撮像部と、
固有のユーザー識別情報を記憶する、携帯電話機に着脱可能な記録媒体から情報を読出す情報読出し部と、
前記情報読出し部で読出された情報に基づいて付加情報の候補を提示する提示部と、
前記付加情報の候補の中から指示された候補を付加情報とする付加情報決定部と、
前記付加情報決定部で決定された付加情報および前記画像データを含む画像ファイルを生成するファイル生成部と、
前記画像ファイルを記録媒体に記録する記録制御部と、
を備えることを特徴とするカメラ。
【発明の詳細な説明】
【技術分野】
【０００１】
本発明は、携帯電子機器およびカメラに関する。
【背景技術】
【０００２】
撮影画像を記録するExif規格ファイルのヘッダに撮影者名や著作権者名などの情報を付加するカメラが知られている（特許文献１参照）。
【先行技術文献】
【特許文献】
【０００３】
【特許文献１】特開２０１０−２８５１３号公報
【発明の概要】
【発明が解決しようとする課題】
【０００４】
従来技術では、液晶モニタに表示される文字入力画面を見ながら、マルチセレクタおよびボタン操作を行うことによって１字ずつ文字入力を行うので、入力作業に手間がかかるという問題があった。
【課題を解決するための手段】
【０００５】
（１）本発明による携帯電子機器は、固有のユーザー識別情報を記憶する、携帯電話機に着脱可能な記録媒体から情報を読出す情報読出し部と、情報読出し部で読出された情報に基づいて付加情報の候補を提示する提示部と、付加情報の候補の中から指示された候補を付加情報とする付加情報決定部と、付加情報決定部で決定された付加情報を他の情報と関連づける情報処理部と、を備えることを特徴とする。
（２）本発明によるカメラは、被写体像を撮像して画像データを生成する撮像部と、固有のユーザー識別情報を記憶する、携帯電話機に着脱可能な記録媒体から情報を読出す情報読出し部と、情報読出し部で読出された情報に基づいて付加情報の候補を提示する提示部と、付加情報の候補の中から指示された候補を付加情報とする付加情報決定部と、付加情報決定部で決定された付加情報および画像データを含む画像ファイルを生成するファイル生成部と、画像ファイルを記録媒体に記録する記録制御部と、を備えることを特徴とする。
【発明の効果】
【０００６】
本発明によれば、文字情報の入力を簡単に行うことができる。
【図面の簡単な説明】
【０００７】
【図１】本発明の一実施の形態によるデジタルカメラの背面図である。
【図２】デジタルカメラの要部構成を例示するブロック図である。
【図３】液晶モニタに表示されるメニュー画面を例示する図である。
【図４】「ＴＡＧ情報編集（入力）」項目に対応する操作画面を例示する図である。
【図５】入力候補の編集画面を例示する図である。
【図６】入力候補の編集画面を例示する図である。
【図７】入力候補の編集画面を例示する図である。
【図８】「ＴＡＧ情報編集（入力）」項目に対応する操作画面を例示する図である。
【図９】「ＴＡＧ情報編集（入力）」項目に対応する操作画面を例示する図である。
【図１０】「ＴＡＧ情報編集（入力）」項目に対応する操作画面を例示する図である。
【発明を実施するための形態】
【０００８】
以下、図面を参照して本発明を実施するための形態について説明する。図１は、本発明の一実施の形態によるデジタルカメラ１の背面図である。
【０００９】
図１において、デジタルカメラ１の本体背面の中央上方には、被写体を観察する光学ファインダーの接眼窓２が設けられている。接眼窓２の上方のペンタ部１Ａには、閃光装置などを取り付けるためのアクセサリシュー３が設けられている。また、接眼窓２の右方には、撮影モードや露出モードの設定などを行うためのコマンドダイアル４が設けられている。また、接眼窓２の下方には、撮影に関する種々の情報や撮影画像を表示する液晶モニタ５が設けられている。
【００１０】
液晶モニタ５の右側には、環状に形成されたマルチセレクタ６が設けられており、その内側には、マルチセレクタ６の操作によって選択された所定の項目の決定などの際に操作されるエンターボタン７が設けられている。また、マルチセレクタ６の下方には、マルチセレクタ６およびエンターボタン７による操作内容の確定などの際に操作されるＯＫボタン８が設けられている。
【００１１】
また、液晶モニタ５の左方には、上から順に、撮影された画像の画像データの削除などの際に操作される削除ボタン９、デジタルカメラ１の各種設定を行うメニュー画面の表示などの際に操作されるメニューボタン１０、液晶モニタ５に表示させる撮影画像の縮小表示やサムネイル表示などの際に操作される縮小／サムネイルボタン１１、および撮影画像の拡大表示などの際に操作される拡大ボタン１２が設けられている。
【００１２】
上記マルチセレクタ６、エンターボタン７、ＯＫボタン８、削除ボタン９およびメニューボタン１０は、後述する撮影画像のタイトルや撮影者名などの付加情報を編集（入力）する場合においても使用される。
【００１３】
図２は、デジタルカメラ１の要部構成を例示するブロック図である。図２において、不揮発性メモリ１３には、ＣＰＵ１４が実行する制御プログラムが格納される。ＣＰＵ１４は、バッファメモリ１５を作業領域として制御プログラムを実行し、カメラ各部に対する種々の制御を行う。
【００１４】
デジタルカメラ１の正面に装着された撮影レンズ１６は、撮像素子１７の撮像面１７ａに被写体像を結像させる。図示しないシャッターボタンが半押し操作されると、ＣＰＵ１４はオートフォーカス処理を行い、撮影レンズ１６を構成するフォーカシングレンズ（不図示）を矢印方向に進退移動させる。これにより、撮影レンズ１６の焦点位置が自動調節される。
【００１５】
撮像素子１７は、ＣＭＯＳイメージセンサなどによって構成される。撮像素子１７は、撮像面１７ａ上に結像された被写体像をアナログ撮像信号に光電変換する。撮像素子１７から出力されたアナログ撮像信号は、Ａ／Ｄ変換部１８においてデジタル画像信号に変換される。
【００１６】
画像処理部１９は、デジタル画像信号をバス２０を介して取り込み、ホワイトバランス処理やガンマ補正、圧縮処理などの画像処理を行って、撮影画像の画像データを生成する。そして、この画像データを含む画像ファイルを Exif 規格に従ったファイル・フォーマットで作成する。Exif ファイルのヘッダ部には上述した付加情報が含まれる。
【００１７】
画像処理部１９により作成された画像ファイル（本例では Exif ファイル）は、ＣＰＵ１４によりバス２０を介してバッファメモリ１５に一時的に格納されると共に、記録再生部２１を介して、図示しないカードスロットに着脱自在に取り付けられるメモリカード２２に記録される。
【００１８】
記録再生部２１は、ＣＰＵ１４からの指示に基づいて、画像ファイルをメモリカード２２に記録し、また、メモリカード２２に記録されている画像ファイルを読み出す。ＣＰＵ１４は、記録再生部２１によってメモリカード２２から読み出された画像ファイルに基づいて、液晶モニタ５に撮影画像を再生表示させる。
【００１９】
操作部材２３は、上述したコマンドダイアル４、マルチセレクタ６、および各種エンターボタン７〜１２などによって構成される。操作部材２３を構成するボタン、ダイアルなどからの操作信号は、それぞれバス２０を介してＣＰＵ１４へ送られる。
【００２０】
データ入出力部２４は、ＣＰＵ１４からの指示に基づいて、図示しないカードスロットに着脱自在に取り付けられるＳＩＭ（Subscriber Identity Module）カード２５に記録されているデータを読む。ＳＩＭカード２５は、携帯電話機で用いられている固有のＩＤ情報を記録する記録媒体である。本実施形態では、デジタルカメラ１のユーザーが使用契約している携帯電話機から外したＳＩＭカード２５を、一時的にデジタルカメラ１に装着しておき、該ＳＩＭカード２５からデータを読む。なお、デジタルカメラ１は、ＳＩＭカード２５を装着する／しないにかかわらず、撮影／記録／再生動作が可能に構成されている。
【００２１】
図３は、液晶モニタ５に表示されるメニュー画面を例示する図である。メニュー画面の呼出しはメニューボタン１０の操作によって行われ、メニュー画面に表示される各設定項目の選択はマルチセレクタ６の上下方向の操作によって行われる。ＣＰＵ１４は、メニュー画面においてマルチセレクタ６の操作により選択された項目を強調表示（ハイライト表示）させる。ＣＰＵ１４はさらに、この状態でエンターボタン７が押下操作されることにより、強調表示している項目に対応する画面を液晶モニタ５に表示させる。なお、図３においては「ＴＡＧ情報編集（入力）」項目以外の他の項目表示を省略している。
【００２２】
図４は、「ＴＡＧ情報編集（入力）」項目に対応する操作画面を例示する図である。ＴＡＧ情報は、上記 Exif ファイルのヘッダ部に付加する情報であり、撮影画像の撮影者名（クリエイタ）、撮影画像の名称（タイトル）、撮影地（国名）、撮影画像の著作権者などの連絡先（電話番号やE-mailアドレスなど）を示す情報を含めることが可能に構成されている。本実施形態では、このような付加情報をあらかじめ不揮発性メモリ１３内に登録しておくことにより、該付加情報を撮影時に生成する Exif ファイルに自動的に含めることを可能にする。なお、この付加情報は、Exif ファイルを生成した後から編集操作によって追加（変更）することも可能である。
【００２３】
図４において、「ＴＡＧ情報編集（入力）」画面の初期状態として「クリエイタ」の入力欄４１にカーソルが位置し、ハイライト表示されている。ＣＰＵ１４は、ＳＩＭカード２５から読み出したデータに基づいて、たとえば、携帯電話機の契約者名「○▽♯□」を「クリエイタ」の入力候補として入力欄４１へ自動表示する。ユーザーは、「○▽♯□」のテキストの一部を変更したい場合は、エンターボタン７を押下操作する。ユーザーは、「○▽♯□」と異なるテキスト情報を入力候補にしたい場合は、コマンドダイアル４を回転操作する。ユーザーは、「○▽♯□」をそのまま「クリエイタ」として登録する場合は、マルチセレクタ６を上下方向に操作してカーソルを「クリエイタ」以外の入力欄へ移動させる。
【００２４】
＜入力候補の一部を変更する場合＞
ＣＰＵ１４は、図４の画面を表示中にエンターボタン７が押下操作されると、図５に例示する入力候補「○▽♯□」の編集画面を表示させる。図５において、入力候補「○▽♯□」のテキスト上にカーソル５１が表示されている。ＣＰＵ１４は、カーソル５１の位置をマルチセレクタ６の左右方向の操作に応じて移動させる。ＣＰＵ１４はさらに、コマンドダイアル４が操作されることにより、キャラクタコード（たとえばJISコード）に従ってカーソル５１内のテキストを変化させる。ＣＰＵ１４は、このように入力候補の内容を変更する。ＣＰＵ１４は、図５の画面を表示中にエンターボタン７が押下操作されると、表示中のテキストを入力候補として図４の表示画面に戻る。
【００２５】
＜異なるテキスト情報を入力候補にしたい場合＞
ＣＰＵ１４は、図４の画面を表示中にコマンドダイアル４が操作されると、ＳＩＭカード２５から読み出したデータに基づいて上記契約者名「○▽♯□」以外の他のテキスト情報を表示中の契約者名に代えて入力欄４１へ自動表示する。契約者名以外の他のテキスト情報は、たとえば、上記契約者の固定電話番号が該当する。
【００２６】
固定電話番号をそのまま登録する場合のユーザーは、マルチセレクタ６を上下方向に操作してカーソルを「クリエイタ」以外の入力欄へ移動させる。これに対して、固定電話番号表示のテキストの一部を変更したいユーザーは、エンターボタン７を押下操作する。ＣＰＵ１４は、入力欄４１に固定電話番号が表示されている状態でエンターボタン７が押下操作されると、図６に例示する入力候補「+81 3 3216 ***2」の編集画面を表示させる。図６において、入力候補「+81 3 3216 ***2」のテキスト上にカーソル５１が表示されている。図６の表示画面における入力候補の変更操作は、図５に例示した場合と同様である。
【００２７】
ユーザーは、固定電話番号表示と異なるテキスト情報を入力候補にしたい場合は、コマンドダイアル４をさらに回転操作する。ユーザーは、固定電話番号表示をそのまま「クリエイタ」として登録する場合は、マルチセレクタ６を上下方向に操作してカーソルを「クリエイタ」以外の入力欄へ移動させる。
【００２８】
ＣＰＵ１４は、図４の画面を表示中にコマンドダイアル４がさらに操作されると、ＳＩＭカード２５から読み出したデータに基づいて、上記契約者名でも上記固定電話番号でもない他のテキスト情報を入力欄４１に表示させる。なお、テキスト情報はＳＩＭカード２５から読み出したデータに基づいていれば内容は何でもよく、必ずしも「クリエイタ」に関連しない内容であってもよい。本実施形態では「ＹＡＭＡＩ」が該当する。
【００２９】
「ＹＡＭＡＩ」をそのまま登録する場合のユーザーは、マルチセレクタ６を上下方向に操作してカーソルを「クリエイタ」以外の入力欄へ移動させる。これに対して、「ＹＡＭＡＩ」のテキストの一部を変更したいユーザーは、エンターボタン７を押下操作する。ＣＰＵ１４は、入力欄４１に「ＹＡＭＡＩ」が表示されている状態でエンターボタン７が押下操作されると、図７に例示する入力候補「ＹＡＭＡＩ」の編集画面を表示させる。図７において、入力候補「ＹＡＭＡＩ」のテキスト上にカーソル５１が表示されている。図７の表示画面における入力候補の変更操作は、図５に例示した場合と同様である。
【００３０】
ユーザーは、「ＹＡＭＡＩ」と異なるテキスト情報を入力候補にしたい場合は、コマンドダイアル４をさらに回転操作する。ユーザーは、「ＹＡＭＡＩ」をそのまま「クリエイタ」として登録する場合は、マルチセレクタ６を上下方向に操作してカーソルを「クリエイタ」以外の入力欄へ移動させる。
【００３１】
ＣＰＵ１４は、図４に例示する画面を表示中にＯＫボタン８が押下操作されると、表示中の入力候補をそれぞれ登録して図３に例示したメニュー画面へ戻る。登録は、不揮発性メモリ１３の所定領域に記録することによって行う。また、ＣＰＵ１４は、図４に例示する画面を表示中にメニューボタン１０が押下操作された場合には、メニュー処理を終了して液晶モニタ５に対するメニュー画面の表示を終了させる。
【００３２】
図８は、「ＴＡＧ情報編集（入力）」画面のうち「タイトル」の入力欄４１へカーソルが移動し、ハイライト表示された場合を例示する図である。ＣＰＵ１４は、ＳＩＭカード２５から読み出したデータに基づいて、たとえば、携帯電話機の契約者の現住所「品川区西大井」を「タイトル」の入力候補として入力欄４１へ自動表示する。
【００３３】
ユーザーは、「品川区西大井」のテキストの一部を変更したい場合は、エンターボタン７を押下操作する。ユーザーは、「品川区西大井」と異なるテキスト情報を入力候補にしたい場合は、コマンドダイアル４を回転操作する。ユーザーは、「品川区西大井」をそのまま「タイトル」として登録する場合は、マルチセレクタ６を上下方向に操作してカーソルを「タイトル」以外の入力欄へ移動させる。テキストの一部変更や、異なるテキスト情報を入力候補とするための操作は、上述した「クリエイタ」の場合と同様である。
【００３４】
図９は、「ＴＡＧ情報編集（入力）」画面のうち「国名」の入力欄４１へカーソルが移動し、ハイライト表示された場合を例示する図である。ＣＰＵ１４は、ＳＩＭカード２５から読み出したデータに基づいて、たとえば、携帯電話機の契約者の国籍「日本」を「国名」の入力候補として入力欄４１へ自動表示する。
【００３５】
ユーザーは、「日本」と異なるテキスト情報を入力候補にしたい場合は、コマンドダイアル４を回転操作する。ユーザーは、「日本」をそのまま「国名」として登録する場合は、マルチセレクタ６を上下方向に操作してカーソルを「国名」以外の入力欄へ移動させる。異なるテキスト情報を入力候補とするための操作は、上述した「クリエイタ」の場合と同様である。
【００３６】
図１０は、「ＴＡＧ情報編集（入力）」画面のうち「E-mail」の入力欄４１へカーソルが移動し、ハイライト表示された場合を例示する図である。ＣＰＵ１４は、ＳＩＭカード２５から読み出したデータに基づいて、たとえば、携帯電話機の契約者のE-mailアドレス「bcdef@*vw.co.jp」を「E-mail」の入力候補として入力欄４１へ自動表示する。
【００３７】
ユーザーは、「bcdef@*vw.co.jp」のテキストの一部を変更したい場合は、エンターボタン７を押下操作する。ユーザーは、「bcdef@*vw.co.jp」と異なるテキスト情報を入力候補にしたい場合は、コマンドダイアル４を回転操作する。ユーザーは、「bcdef@*vw.co.jp」をそのまま「E-mail」として登録する場合は、マルチセレクタ６を上下方向に操作してカーソルを「E-mail」以外の入力欄へ移動させる。テキストの一部変更や、異なるテキスト情報を入力候補とするための操作は、上述した「クリエイタ」の場合と同様である。
【００３８】
本実施形態のデジタルカメラ１は、上述したメニュー画面で登録された付加情報が不揮発性メモリ１３に保存されている状態で撮影が行われると、上記付加情報がデジタルカメラ１で撮影された撮影画像の Exif ファイルのヘッダ部に付加情報として付加される。
【００３９】
以上説明した実施形態によれば、次の作用効果が得られる。
（１）デジタルカメラ１は、固有のＩＤ情報を記憶する、携帯電話機に着脱可能なＳＩＭカード２５から情報を読出すデータ入出力部２４およびＣＰＵ１４と、データ入出力部２４およびＣＰＵ１４で読出された情報に基づいて入力候補を提示する液晶モニタ５と、入力候補の中から指示された候補を付加情報とするＣＰＵ１４と、ＣＰＵ１４で決定された付加情報を画像ファイルのヘッダ部に含めるＣＰＵ１４と、を備えるようにしたので、デジタルカメラ１に対して文字情報の入力を簡単に行える。具体的には、ＳＩＭカード２５から読出したテキスト情報を用いることで、一文字ずつ新たに入力する場合と比べて、文字入力を簡単にすることができる。撮影画像に関連づけて文字を保存したい場合に好適である。
【００４０】
（２）上記（１）のデジタルカメラ１において、データ入出力部２４およびＣＰＵ１４がＳＩＭカード２５から読出した情報を記憶する不揮発性メモリ１３をさらに備え、液晶モニタ５は、不揮発性メモリ１３に記憶されている情報に基づいて入力候補を提示する。これにより、ＳＩＭカード２５をデジタルカメラ１内に長く留め置く必要がないので、携帯電話機の使用機会を制限することがない。
【００４１】
（３）上記（１）または（２）のデジタルカメラ１において、液晶モニタ５は、データ入出力部２４およびＣＰＵ１４で読出された情報の一部、または不揮発性メモリ１３に記憶されている情報の一部を入力候補として提示する。これにより、読出し情報の全部（たとえば、契約者名と固定電話番号）を一度に提示しないで個別に提示することで、ユーザーにとって提示された入力候補の確認がしやすくなる。
【００４２】
（４）上記デジタルカメラ１は、液晶モニタ５で提示された入力候補に対する変更操作を受付ける操作部材２３をさらに備え、ＣＰＵ１４部は、操作部材２３で受けた変更操作後の入力候補、および液晶モニタ５が提示する入力候補の中から指示された候補を付加情報とするようにした。これにより、ＳＩＭカード２５から読み出したテキスト情報をそのまま、あるいは変更して用いることができるので、一文字ずつ新たに入力する場合と比べて、テキスト入力を簡単にすることができる。
【００４３】
（５）上記デジタルカメラ１において、ＣＰＵ１４は、付加情報を画像ファイルに付加するので、画像に対するタイトルやコメントなどの文字入力を簡単にすることができる。
【００４４】
（変形例１）
以上の説明では、Exif ファイルに付加される付加情報を登録（入力）する場面を例に説明したが、他のファイル・フォーマットで作成される画像ファイルに付加するメタデータを登録（入力）する場面においても本発明を適用することができる。たとえば、IPTC(International Press Telecommunications Council)によって策定された IPTCファイルに付加されるフォトメタデータを登録（入力）する場合である。
【００４５】
このフォトメタデータは入力項目が多いので、上述したExif ファイルの付加情報に比べて登録（入力）の際の手間が大きい。この場合、ＳＩＭカード２５から読み出したテキスト情報をベースとして、そのまま、あるいは変更して用いるようにすれば、一文字ずつ新たに入力する場合と比べて、フォトメタデータの入力を簡単にすることができる。特に、カメラなどの携帯機器のように小型で操作キーの数が限られている場合に好適である。
【００４６】
（変形例２）
上記実施の形態では、メニュー処理における「ＴＡＧ情報編集（入力）」を行う場合において、必要なデータをＳＩＭカード２５から適宜読み出す例を説明した。しかしながら、携帯電話機から外したＳＩＭカード２５をできるだけ早く携帯電話機へ戻すためには、ＳＩＭカード２５に記録されているデータの全てをそのままデジタルカメラ１内の不揮発性メモリ１３へコピー保存しておくことが好ましい。
【００４７】
そこで、変形例２のＣＰＵ１４は、デジタルカメラ１内にＳＩＭカード２５が装着された場合、ＳＩＭカード２５に記録されているデータの全てを複製して不揮発性メモリ１３へ保存しておく。この保存の際は、ＳＩＭカード２５内のデータ内容が何であるかを認識しなくてよい。不揮発性メモリ１３へのコピー保存が終了した時点でデジタルカメラ１からＳＩＭカード２５を取り外し、携帯電話機へ戻して構わない。
【００４８】
ＣＰＵ１４は、メニュー処理において「ＴＡＧ情報編集（入力）」を行う場合に、ＳＩＭカード２５をデジタルカメラ１内に装着することなしに、必要なデータを不揮発性メモリ１３から読み出して用いる。
【００４９】
（変形例３）
変形例３のＣＰＵ１４は、デジタルカメラ１内に装着されたＳＩＭカード２５に記録されているデータを複製して不揮発性メモリ１３へ保存する場合に、所定のデータのみを複製して保存する。たとえば、契約者情報に加えて、携帯電話機の電話帳データやアドレス帳データなどを複製しておく。
【００５０】
（変形例４）
上述した説明では、デジタルカメラ１において情報の登録（入力）を行う場合を例に説明した。デジタルカメラ１の代わりに、携帯型音楽プレーヤーや携帯型フォトフレームなどの携帯電子機器において、楽曲や画像に対するタイトルやコメントなどの文字を入力する場合に適用してもよい。
【００５１】
以上の説明はあくまで一例であり、上記の実施形態の構成に何ら限定されるものではない。
【符号の説明】
【００５２】
１…デジタルカメラ
５…液晶モニタ
６…マルチセレクタ
７…エンターボタン
８…ＯＫボタン
１０…メニューボタン
１３…不揮発性メモリ
１４…ＣＰＵ
１７…撮像素子
１９…画像処理部
２２…メモリカード
２３…操作部材
２４…データ入出力部
２５…ＳＩＭカード
【図１】
2013172417.tif 000003
【図２】
2013172417.tif 000004
【図３】
2013172417.tif 000005
【図４】
2013172417.tif 000006
【図５】
2013172417.tif 000007
【図６】
2013172417.tif 000008
【図７】
2013172417.tif 000009
【図８】
2013172417.tif 000010
【図９】
2013172417.tif 000011
【図１０】
2013172417.tif 000012